(57)【要約】【課題】堅固で、素早い操作にも対応でき、構造が簡単で、操作対象の機器から視点移動させずに多様な方向からの機器の操作が可能なリモコン装置を提供する。【解決手段】操作部（２）を有する主操作面（１）と、前記主操作面（１）の裏面に設けられ、前記操作部（２）の操作に応じてコマンド信号を送信する送信部（３）とを備える。【選択図】図１
2008072408.tif 000002
【特許請求の範囲】
【請求項１】
操作部を有する主操作面と、
前記主操作面の裏面に設けられ、前記操作部の操作に応じてコマンド信号を送信する送信部とを備えることを特徴とするリモコン装置。
【請求項２】
前記送信部は、前記裏面の法線方向にコマンド信号を送信するように設けられたことを特徴とする請求項１記載のリモコン装置。
【請求項３】
操作部を有する主操作面と、
前記操作部の操作に応じてコマンド信号を送信する送信部とを備え、前記送信部は前記主操作面と反対の方向を向くように移動させることができることを特徴とするリモコン装置。
【請求項４】
前記送信部を、前記主操作面の裏面の法線方向にコマンド信号を送信する位置に移動させることができることを特徴とする請求項３記載のリモコン装置。
【請求項５】
前記移動は回動であることを特徴とする請求項３又は４に記載のリモコン装置。
【請求項６】
コマンド信号を発生する送信素子が前記送信部に固定され、前記送信部と共に移動するように構成されていることを特徴とする請求項３乃至５のいずれか１項に記載のリモコン装置。
【請求項７】
コマンド信号を発生する送信素子が該リモコン装置本体に固定され、前記送信部にはミラーが固定され、前記送信素子から送信されるコマンド信号は前記ミラーに反射され、前記送信部の送信窓から送信されるように構成されていることを特徴とする請求項３乃至５のいずれか１項に記載のリモコン装置。
【発明の詳細な説明】
【技術分野】
【０００１】
本発明はリモコン装置に関する。
【背景技術】
【０００２】
近年、各種電気機器、代表的には、テレビジョン装置やＡＶ機器などでは、リモコン装置によって遠隔操作できるものが主流になってきている。このようなリモコン装置は、操作面に設けられた操作ボタンの押下に応じて、赤外線などの光信号によるコマンド信号を送信する。
【０００３】
従来のリモコン装置は、外径形状が細長い板状のものが一般的である。広い面の一方が操作ボタンが配置されている操作面であり、種々の情報を表示する液晶表示部が設けられている場合もある。一般に、端面に送信部が設けられ、リモコン装置の長手方向にコマンド信号が送信される。
【０００４】
特許文献１に記載のリモコン装置では、光信号出力機構が、所定範囲内で振り子状の運動が自在なように支持された反射面が形成された又は発光素子が固定された振り子部材を備える。これにより、リモコン本体の上下方向における所定範囲内の角度変化に係わらず、コマンド信号を上下方向においてほぼ処置の方向範囲に出力することができる。
【０００５】
【特許文献１】特開平８−２２３６７１号公報
【発明の開示】
【発明が解決しようとする課題】
【０００６】
従来のリモコン装置を例えば高齢者等が操作する場合、まず、顔の正面付近でリモコン装置の操作面を見て、希望する操作ボタンを探し、その操作ボタンの上に指を置く。その次に、顔からリモコンを離し、腕を伸ばしてリモコン装置の操作部を操作対象機器の方に向けてから操作ボタンを押すといった手順が必要になる。したがって、複数の操作ボタンを連続して操作する場合、腕の上げ下げ、視点の上げ下げが多くなり、使用者の負担が大きくなるといった問題があった。また、操作ボタンを押す際、使用者からその操作ボタンが見えなくなり、操作失敗の原因となる問題もあった。
【０００７】
特許文献１のリモコン装置では、リモコン本体の前面部が上向きになるようにした状態でキー操作を行っても、常に正面方向に対してコマンド信号が出力されるため、操作対象の機器から視点移動させずに操作が可能であり、操作性が向上するが、振り子部材は、ユーザの素早い加速度が加わる動きには追従しにくいという課題がある。また、落下等で破損しやすいといった課題や、部品点数が増えるといった課題もある。コマンド信号を一定の方向（主に水平方向）へしか送信できないといった課題もある。
【０００８】
使用者と操作対象機器との位置関係が通常と異なる場合、例えば、病院などのベッドに寝ている患者が上方に設置されたテレビジョン受像機を見る場合や、理髪店で背後に置かれたテレビジョン受像機を鏡越しに見る場合など、従来のリモコン装置ではきわめて操作がし難かった。
【０００９】
上述したことを鑑み、本発明の目的は、堅固で、素早い操作にも対応でき、構造が簡単で、操作対象の機器から視点移動させずに多様な方向からの機器の操作が可能なリモコン装置を提供することにある。
【課題を解決するための手段】
【００１０】
上記課題を解決するために、本発明によるリモコン装置は、操作部を有する主操作面と、前記主操作面の裏面に設けられ、前記操作部の操作に応じてコマンド信号を送信する送信部とを備えることを特徴とする。
好適には、前記送信部は、前記裏面の法線方向にコマンド信号を送信するように設ける。
【００１１】
本発明による他のリモコン装置は、操作部を有する主操作面と、前記操作部の操作に応じてコマンド信号を送信する送信部とを備え、前記送信部は前記主操作面と反対の方向を向くように移動させることができることを特徴とする。
【００１２】
好適には、前記送信部を、前記主操作面の裏面の法線方向にコマンド信号を送信する位置に移動させることができるようにする。
好適には、前記移動は回動である。
好適には、コマンド信号を発生する送信素子を前記送信部に固定し、前記送信部と共に移動するように構成する。
【００１３】
又は、好適には、コマンド信号を発生する送信素子を該リモコン装置本体に固定し、前記送信部にはミラーを固定し、前記送信素子から送信されるコマンド信号は前記ミラーに反射され、前記送信部の送信窓から送信されるように構成する。
【発明の効果】
【００１４】
本発明によれば、堅固で、素早い操作にも対応でき、構造が簡単で、操作対象の機器から視点移動させずに多様な方向からの機器の操作が可能なリモコン装置が実現される。
【発明を実施するための最良の形態】
【００１５】
図１は、本発明の第１の実施形態によるリモコン装置を示す側面図である。本リモコン装置は細長い板状で、一方の広い面である操作面１には操作部として操作ボタン２が設けられている。操作面１には、種々の情報を表示する液晶表示部等が設けられてもよい。また、操作面１以外に操作部が設けられてもよい。操作面１の裏面には、前記操作ボタンの操作に応じて代表的には赤外線信号によるコマンド信号を送信する送信部３が設けられている。送信部３は、使用者が操作ボタンを操作できるようにリモコン装置を握った場合、送信されるコマンド信号が手によって妨げられないような位置に配置されることが必要である。送信部３は、好適には、前記裏面に対して垂直方向にコマンド信号を送信する。
【００１６】
図２は、図１に示す本発明のリモコン装置の使用状況を説明する図である。ユーザは、リモコン装置を、その操作面１が見えるように握り、操作対象機器４（例えば、図に示すようなテレビジョン受像機）の方を向く。すると、リモコン装置の送信部３は自然と操作対象機器４の方を向く。したがって、使用者がリモコンの操作面１を見るときと操作対象機器４を見るときとで視線移動が少なくなり、操作対象機器４とリモコン装置の操作部１の双方を見ながらの操作が可能になる。図に示すような操作対象機器４をテレビジョン受像機とした例では、画面を見ながらチャンネル切換えなどを容易に行うことが可能になる。
【００１７】
図３は、本発明の第２の実施形態によるリモコン装置を示す図であり、（ａ）はリモコン装置の正面図、（ｂ）は左側面図、（ｃ）は背面図である。本リモコン装置は、その操作面１１上に操作ボタン１２を備える。回転送信部１３は、円筒形状であり、回転自在にリモコン装置に取り付けられ、その取り付け位置は、ユーザがリモコン装置を手に持ったときに邪魔にならないように、リモコン装置の上部が好適である。回転送信部１３は、少なくとも操作面１１の裏面に対して垂直方向にコマンド信号を送信する方向に送信窓１５を向けることができるようにする。本例では、送信窓１５の方向を、図４（ｂ）に示すような操作面１１に対して垂直方向から、図４（ａ）に示すような背面に対して垂直方向を過ぎて下方４５度まで、計２２５度の範囲で回転可能とする。このようにすることにより、操作対象機器がテレビジョン受像機である場合を例にとると、例えば、図４（ｂ）に示すように操作面１１に対して垂直方向にまで回転させることができるので、理髪店などで背後に置かれたテレビジョン受像機を鏡越しに見る場合に操作がしやすくなり、図４（ａ）に示すように垂直方向を過ぎて下方にまで回転できるので、ベッドで横になった状態で上方にあるテレビジョン受像機を操作する場合に操作がしやすくなる。
【００１８】
回転送信部１３には、使用者が指で回しやすいように周囲に溝を設けてもよい。例えば、図３に示すように、回転送信部１３がリモコン装置の側部から突き出るようにし、突き出た部分にのみ溝を設けてもよい。
【００１９】
回転送信部１３には、送信窓１５すなわち送信方向がどちらの方向を向いているかが使用者が手で触れただけでわかるように、その側部に送信方向を示す矢印１４などの刻印を設けてもよい。
【００２０】
回転送信部１３を設ける位置は、図５に示すように、（ａ）に示すようなリモコン装置の左上部、（ｂ）に示すような右上部が好適である。
【００２１】
図６は、図３に示すリモコン装置の回転送信部１３の構造の一例を示す断面図である。
この例の回転送信部では、リモコン装置本体２１に回転自在に取り付けられた回転送信部ケース２２に固定されたサブ基板２３に送信素子２４が取り付けられる。送信素子２４は、リモコン装置本体２１に固定されたメイン基板２５と、ケーブル２６によって接続される。リモコン装置本体２１に設けられた操作ボタンを押すと、メイン基板２５は、対応する電気信号を、ケーブル２６を介して送信素子２４に流し、送信素子２４は赤外線等の光信号によってコマンド信号を発生する。発生したコマンド信号は回転送信部ケース２２に設けられた送信窓２７を経て送信される。回転送信部ケース２２を回転させると、送信素子２４も共に回転するので、送信素子２４によって発生されるコマンド信号は常に送信窓２７を経て送信される。
【００２２】
図７は、図３に示すリモコン装置の回転送信部１３の構造の他の例を示す断面図である。この例の回転送信部では、送信素子３１は、リモコン装置本体３２の内部に固定され、例えばメイン基板３３に直接固定される。リモコン装置本体３２に設けられた操作ボタンを押すと、メイン基板３３は、対応する電気信号を送信素子３１に流し、送信素子３１は赤外線等の光信号によってコマンド信号を発生する。リモコン装置本体３２に回転自在に取り付けられた回転送信部ケース３４内にはミラー３５が固定され、送信素子３１が発生するコマンド信号は、ミラー３５によって反射され、回転送信部ケース３４に設けられた送信窓３６から送信される。回転送信部ケース３４を回転させると、ミラー３５も共に回転し、送信素子３１によって発生されるコマンド信号は常にミラー３５によって送信窓３６の方向に反射され、送信窓３６から送信される。
【産業上の利用可能性】
【００２３】
本発明はリモコン装置に利用可能である。
【図面の簡単な説明】
【００２４】
【図１】本発明の第１の実施形態によるリモコン装置を示す側面図である。
【図２】本発明のリモコン装置の使用状況を説明する図である。
【図３】本発明の第２の実施形態によるリモコン装置を示す図であり、（ａ）は正面図、（ｂ）は左側面図、（ｃ）は背面図である。
【図４】回転送信部の回転範囲を示す図である。
【図５】リモコン装置における回転送信部の取り付け位置を示す図である。
【図６】回転送信部の構造の一例を示す断面図である。
【図７】回転送信部の構造の他の例を示す断面図である。
【符号の説明】
【００２５】
１、１１  操作面
２、１２  操作ボタン
３  送信部
４  操作対象機器
１３  回転送信部
１４  矢印
１５、２７、３６  送信窓
２１、３２  リモコン装置本体
２２、３４  回転送信部ケース
２３  サブ基板
２４、３１  送信素子
２５、３３  メイン基板
２６  ケーブル
３５  ミラー
【図１】
2008072408.tif 000003
【図２】
2008072408.tif 000004
【図３】
2008072408.tif 000005
【図４】
2008072408.tif 000006
【図５】
2008072408.tif 000007
【図６】
2008072408.tif 000008
【図７】
2008072408.tif 000009